(57)【特許請求の範囲】
【請求項１】
水源、シスタンク、制御箱及び洗浄ノズルを備えた水洗便器において、前記洗浄ノズルとしての殺菌洗浄ノズルと他に殺菌薬液噴霧ノズルの２つのノズルを備えると共に複数の殺菌薬液タンクを備え、一方の殺菌薬液タンクを、計量用弁を介して制御箱内の殺菌洗浄液タンクに接続して、殺菌薬液を注入供給すると共にさらに前記殺菌洗浄ノズルに接続して噴出する殺菌薬液により殺菌洗浄可能とし、他方の殺菌薬液タンクを、ポンプを介して殺菌薬液噴霧ノズルに接続して、殺菌薬液を噴霧可能とし、殺菌洗浄ノズルに通じる配管部及び／又は殺菌薬液噴霧ノズルに通じる配管に加熱装置を備えて流出する殺菌薬液を加熱して殺菌洗浄ノズルからは噴出し殺菌洗浄可能とし又は殺菌薬液噴霧ノズルからは噴霧可能とし、便座の近傍に配置した発信器、受信器で構成された着座スイッチによって便座への着座を検知して、前記一方の殺菌薬液タンクから制御箱内の殺菌洗浄液タンクへ流出する殺菌薬液を定量補給可能としたことを特徴とする肛門の殺菌洗浄装置。
【請求項２】
前記請求項１において、一方の殺菌薬液タンクに、塩化ベンザルコニウムの１０W／V％液、又は塩化ベンセゼトニウムの１０W／V％液を、３０倍〜１０００倍に水で希釈した溶液、又は１０W/V%塩化ベンザルコニウムの液又は１０W/V%塩化ベンセゼトニウムの液と、両性（イオン）界面活性剤の１０％アルキルジアミノエチルグリシン塩酸塩とを2対１の割合で混合し、それを３０倍〜１０００倍に水で希釈した溶液、又はアルキルジアミノエチルグリシン塩酸塩の０．１％〜５％の水溶液の殺菌薬液の一つを充填し、他方の殺菌薬液タンクに、１０W/V％塩化ベンザルコニウム又は１０W/V％塩化ベンセゼトニウムと、９９．５％エタノールと、水をそれぞれ、0.1対７９．９対２０の割合で混合した液の殺菌薬液を充填した肛門の殺菌洗浄装置。
【発明の詳細な説明】
【技術分野】
【０００１】
本発明は、肛門の殺菌洗浄装置に係るものである。
【背景技術】
【０００２】
一般に、人の大腸の中には１００兆個の菌がいて、排出された大便（以下「便」という。）1グラムの中に３０００億から５０００億個の菌が含まれるといわれている。
従来から、赤痢、コレラ、大腸菌、O１５７などの感染症は、患者や健康保菌者の便から二次感染の結果として感染するおそれがあり、便を排出した後の肛門を、例えばウオシュレット等により、温湯で洗浄する方法があるが、洗浄が不完全なときや、洗浄水が飛び散ったときには、感染症の菌や大腸菌が肛門の周囲や、便座、床、スリッパ、手、衣類、トイレのドアのノブなどを介して健康な人に二次感染を起こす危険があるため、トイレで用便のあと、肛門をトイレットペーパーで拭き取るとき、手に菌をつけなくするには、40枚も紙を重ねるなど対応策が必要があるなど、対応が煩雑であり、また忘れがちなものであった。
【特許文献１】なし
【発明の開示】
【発明が解決しようとする課題】
【０００３】
本発明は、上記に事情に鑑み、ウオシュレット等により、常温又は温湯で洗浄したときに、洗浄が不完全になったり、洗浄水が飛び散った場合であっても、自動的に、あるいは半自動的に肛門の周囲を殺菌する工夫を施すことによって、用便後の二次感染を完全に防止することによって、感染症の菌や大腸菌が肛門の周囲や、便座、床、スリッパ、手、衣類、トイレのドアのノブなどを介して健康な人に二次感染を起こさないようして問題を解決するものである。
【課題を解決するための手段】
【０００４】
本発明は、水源、シスタンク、制御箱及び洗浄ノズルを備えた水洗便器において、殺菌洗浄ノズル８a及び殺菌薬液噴霧ノズル８ｂの２つのノズルを備えると共に複数の殺菌薬液タンク３，４を備え、一方の殺菌薬液タンク３を、計量用弁５を介して制御箱７ａ内の殺菌洗浄液タンク（図示省略）に供給すると共に前記殺菌洗浄ノズル８aに接続し、他方の殺菌薬液タンク７ｂ，ポンプPを介して殺菌薬液噴霧ノズル８ｂに接続し、殺菌薬液を一方では注入した殺菌洗浄液タンクから殺菌洗浄ノズル８aにより噴射可能にし、また他方では殺菌薬液噴霧ノズル８ｂにより噴霧可能とした肛門の殺菌洗浄装置を提供する。
【０００５】
本発明は、上記においてさらに、殺菌洗浄ノズルに通じる配管部及び／又は殺菌薬液噴霧ノズルに通じる配管に加熱装置を備え、それぞれのノズルへ流出する薬液を加熱して一方の殺菌洗浄ノズル８aからは噴出又は他方の殺菌薬液噴霧ノズル８ｂからは噴霧可能であり、便座への着座を検知して、前記一方の殺菌薬液タンクから制御箱内の殺菌洗浄液タンクへ流出する殺菌薬液を定量補給可能でもあり、さらに、便座位置に着座した状態で、定量補給する薬液を手許の制御機器によって制御可能とした肛門の殺菌洗浄装置でもある。
【０００６】
本発明は、上記した肛門の殺菌洗浄装置において、殺菌薬液タンク、計量弁、制御箱内の殺菌洗浄液タンク及び殺菌洗浄ノズルにより形成された殺菌洗浄ラインを介することによって、肛門に殺菌薬液を噴射し、肛門を殺菌洗浄するために、一方の殺菌薬液タンクに、塩化ベンザルコニウムの１０W／V％液、又は塩化ベンゼトニウムの１０W／V％液を、３０倍〜１０００倍に水で希釈した溶液を充填したり、１０W／V％塩化ベンザルコニウムの液又は１０W／V％塩化ベンゼトニウムの液と、両性（イオン）界面活性剤の１０％アルキルジアミノエチルグリシン塩酸塩とを2対１の割合で混合し、それを３０倍〜１０００倍に水で希釈した溶液を充填したり、アルキルジアミノエチルグリシン塩酸塩の０．１％〜５％の水溶液を充填したりした肛門の殺菌洗浄装置を提供し、さらに、他方の殺菌薬液タンク、ポンプ、薬液噴霧ノズルにより形成された殺菌噴霧ラインを介することによって、肛門に殺菌薬液を少量霧状に噴霧し、肛門を殺菌するため、他方の殺菌薬液タンクに、１０W/V％塩化ベンザルコニウム又は１０W/V％塩化ベンゼトニウムと、９９．５％エタノールと、水とをそれぞれ、0.1対７９．９対２０の割合で混合した殺菌液を充填した肛門の殺菌洗浄装置をも提供する。
【発明の効果】
【０００７】
以上、本発明によれば、肛門部の洗浄液に所定の殺菌薬を適宜選択して注入することによって肛門の殺菌と同時に洗浄を施すことができる。
A液、B液は、０．０１％程度の希釈濃度でも殺菌作用が極めて強いので、肛門の殺菌を効果的に実施することができ、大腸菌などの二次感染の惧れを完全に解消することができる。また、これらの液は殺菌力が強いので、多くの栄養型細菌を短時間で殺菌することができる。そして、高温ほど殺菌力が強くなるので、加熱により温めて使用する。
【０００８】
本発明において使用する殺菌薬液は、無色、無味無臭で毒性が少なく、皮膚、粘膜、創傷面に対する刺激もなかったので、肛門に使用しても問題は生じなかった。長期貯蔵、煮沸、加圧、加温によっても、殺菌力は低下することはなかった。水溶液によって、衣服を汚染することもなかった。
【発明を実施するための最良の形態】
【０００９】
図１に示すように、開閉弁（図示省略）、フロート弁によりレベル制御されるシスタンク２は水源１に接続され、このシスタンクから便器に放水される。また、殺菌洗浄ノズル８aが制御装置７aの殺菌洗浄液タンク（図示省略）を通じて水源１に接続されている。
【００１０】
本発明においては、洗浄ノズルを備えた水洗便器において、複数の殺菌薬液タンク３、４を備え、一方の殺菌薬液タンク３から計量用弁５を介して制御箱７a内の殺菌洗浄液タンク（図示省略）に薬液を供給すると共に殺菌洗浄液タンクを前記殺菌洗浄ノズル8ａに接続して薬液を含んだ殺菌洗浄液を殺菌洗浄ノズル８ａから噴出する。
【００１１】
殺菌洗浄ノズル８ａによる洗浄後、肛門周辺を含めて殺菌効果を一層高めるために、他方の殺菌薬液タンク４を、ポンプPを介して殺菌薬液噴霧ノズル８bに接続して、前記殺菌薬液タンク４内の殺菌薬液を殺菌薬液噴霧ノズル８bから噴霧可能となっている。
【００１２】
本発明においては、また、便座の両側に配置される一方の殺菌洗浄液タンクを兼ねた制御箱７aには発信器Ｓ１が配設され、その対抗位置に配置された制御箱７bには受信器Ｓ２が配設され、着座検知スイッチSを形成している。この着座検知スイッチSが作動すると、計量弁５が作動し、一定量の殺菌薬液が殺菌洗浄液タンク（図示省略）注入され、殺菌洗浄ノズル８aから殺菌薬液が噴出可能となる。
【００１３】
計量弁の動作回数によって、殺菌する薬液の噴出量を計量するように制御することも可能である。この回数は、制御パネル１０の適宜のスイッチにより操作される。
便器の洗浄、肛門の殺菌洗浄、殺菌薬液の噴霧等の制御は、制御パネル１０の各押しボタンによって自由に選択制御できる。
【００１４】
他方の殺菌薬液タンク４を、ポンプPを介して殺菌薬液噴霧ノズル８bに接続し、殺菌薬液を噴霧可能としている。これは、殺菌洗浄ノズル８ａによる洗浄後、肛門周辺を含めて殺菌効果を一層高めるためである。
【００１５】
以上の構成によって、便座９に着座すると、スイッチSの作用で一方の殺菌薬液タンク３から殺菌薬液が自動的に制御箱７aを兼ねた殺菌洗浄液タンク（図示省略）に注入され、これによって殺菌洗浄液が殺菌洗浄液タンク内に確保され待機状態に維持されている。したがって、殺菌洗浄用の押しボタンを操作して、殺菌洗浄ノズルから肛門周辺に洗浄液を噴射すると、所定の殺菌洗浄液によって、肛門の周囲は完全に殺菌洗浄される。
【００１６】
さらに、便座９への着座により、ポンプPを稼動し、他方の殺菌薬液タンク４から殺菌薬液噴霧ノズル８ｂへ薬液を供給し、殺菌薬液噴霧ノズル８ｂから噴霧することによって、殺菌洗浄ノズルによる殺菌洗浄後の肛門周辺の殺菌効果を一層高めることもできる。
【００１７】
殺菌薬液としては、A液；塩化ベンザルコニウムの１０W／V％液、B液；塩化ベンゼトニウムの１０W／V％液が好ましく、C液；両性（イオン）界面活性剤のアルキルジアミノエチルグリシン塩酸塩の１０％液、D液；エタノール７０〜８２％液、E液；その他の殺菌消毒薬、例えば、次亜塩素酸ナトリウム、クレゾール石鹸、石炭酸、昇汞、ホルマリン、過酸化水素、ヨードチンキ、塩化ベンゼトニウム、クロールヘキシジンホルマリン、の一つを選択して使用することができる。
【００１８】
便座９に座り、手動で制御パネル１０の図示所定のボタンを操作し、これによって、殺菌薬液タンク３から殺菌洗浄液タンク（図示省略）に混入する殺菌薬液の量を適当に調節することができる。
【００１９】
殺菌薬液タンク３からの殺菌洗浄液タンク（図示省略）への供給は、エジェクタポンプ機構を採用することができる。これによって、操作パネル１０の押しボタン操作によって殺菌洗浄ノズル8ａから噴射するとき、負圧ポンプ作用で行うことができ、殺菌薬液を殺菌洗浄液タンクに吸引混入し、殺菌洗浄ノズル８aから噴射するようにすることができる。
【００２０】
排便後の肛門及び肛門周囲を、殺菌洗浄ノズル８ａにより通常の温湯のみで洗浄したり又は上記殺菌洗浄液タンクからの殺菌洗浄液で殺菌洗浄した後、さらに１０W/V％塩化ベンザルコニウム又は１０W/V％塩化ベンゼトニウムと、９９．５％エタノールと、水をそれぞれ、0.1対７９．９対２０の割合で混合した液を、他方の薬液噴霧ノズル８ｂにより少量霧状に噴霧することができる。これによると、洗浄効果、殺菌効果を高めることができ、速乾性もある。
【００２１】
排便後の肛門にA液；塩化ベンザルコニウムの１０W／V％液、又はB液；塩化ベンゼトニウムの１０W／V％液を、３０倍〜１０００倍に水で希釈した溶液を噴射し殺菌する。この場合、殺菌洗浄ノズルに通じる配管部及び／又は殺菌薬液噴霧ノズルに通じる配管の少なくとも一方に加熱装置を備えているので、加熱装置６によって流出する薬液を加温すると一層殺菌効力を高めることができる。これによって、噴射時に飛び散った細菌を含む便の洗浄液は殺菌薬液によって殺菌される。
【００２２】
排便後の肛門にC液；両性（イオン）界面活性剤のアルキルジアミノエチルグリシン塩酸塩の０．１％〜５％の水溶液を噴射し、肛門及びその周囲の有機物を洗浄し同時に殺菌する。殺菌効果は実施例４と同様である。
【００２３】
排便後の肛門にA液；塩化ベンザルコニウムの液又はB液；塩化ベンゼトニウムの液と、両性（イオン）界面活性剤のアルキルジアミノエチルグリシン塩酸塩とを2対１の割合で混合し、３０倍〜１０００倍に水で希釈した溶液を噴射する。この場合も、加温すると一層効力を高めることができ、噴射時に飛び散った細菌を含む便の洗浄液はこれらの殺菌薬液によって殺菌される。
【００２４】
便座に座るときを検出し、これによって適宜自動的にスイッチが入るようにし、殺菌薬液容器から計量された殺菌薬液が混入するようにできる。自動化によって一層便利にすることができる。
【図面の簡単な説明】
【００２５】
【図１】肛門殺菌洗浄装置の流水ラインを示す概要図である。
【符号の説明】
【００２６】
１  水源
２  シスタンク
３  殺菌薬液タンク
４  殺菌薬液タンク
５  計量弁
６  加熱装置
７ａ  制御箱（殺菌洗浄液タンク内蔵）
７ｂ  制御箱
８ａ  殺菌洗浄ノズル
８ｂ  殺菌薬液噴霧ノズル
９  便座
１０  制御パネル
Ｓ  着座スイッチ
Ｓ１   発信器
Ｓ２   受信器
Ｐ  ポンプ
【図１】
0004427319.tif 000002